(57)【要約】      （修正有）【課題】紙幣よりも小型の紙葉類を顧客が投入した場合においても、取引の継続を可能にして、現金自動預払機の稼動効率を向上させる手段を提供する。【解決手段】顧客が投入した紙幣を１枚毎に分離して紙幣を短手方向に繰出す分離機構１５と、顧客に引渡す紙幣を集積する集積機構１６とが設けられた接客部１３と、取忘れられた紙幣を収納する取忘れ収納庫２２と、取忘れられた小型の紙葉類を収納する紙葉類回収庫２４と、接客部１３に、紙幣の短手方向の長さと長手方向の長さとを検出して紙幣の大きさを検出する複数の紙幣サイズ検出センサ３１を設け、投入された紙葉類を顧客に返却する際に、紙幣サイズ検出センサ３１が、接客部１３に存在する紙葉類が紙幣よりも小さいことを検出した場合は、紙葉類を小型の紙葉類と判定し、返却する紙葉類が小型の紙葉類であることを表示し、返却する紙葉類が取忘れられた場合に、その紙葉類を紙葉類回収庫２４に収納する。【選択図】図２
2010277365.tif 000002
【特許請求の範囲】
【請求項１】
顧客が投入した紙幣を１枚毎に分離して紙幣を短手方向に繰出す分離機構と、顧客に引渡す紙幣を集積する集積機構とが設けられた接客部と、
前記接客部に取忘れられた紙幣を収納する取忘れ収納庫と、
前記接客部に取忘れられた小型の紙葉類を収納する紙葉類回収庫と、を有する紙幣入出金機を備えた自動取引装置であって、
前記接客部に、紙幣の短手方向の長さと長手方向の長さとを検出して紙幣の大きさを検出する複数の紙幣サイズ検出センサを設け、
投入された紙葉類を顧客に返却する際に、前記紙幣サイズ検出センサが、前記接客部に存在する紙葉類が、紙幣よりも小さいことを検出した場合に、当該紙葉類を小型の紙葉類と判定する手段と、
前記小型の紙葉類と判定した場合に、返却する紙葉類が小型の紙葉類であることを表示する手段と、
前記返却する紙葉類が取忘れられた場合に、前記紙葉類を前記紙葉類回収庫に収納する手段と、を備えることを特徴とする自動取引装置。
【請求項２】
請求項１において、
前記紙幣サイズ検出センサは、
前記接客部に存在する紙葉類の紙幣の短手方向の上端を、外部から視認できる限度の位置に、紙幣の長手方向に沿って配列された複数の上端検出センサと、
前記接客部に存在する紙葉類の紙幣の短手方向の下端部に、紙幣の長手方向に沿って配列された複数の下端検出センサとで構成され、
前記上端検出センサおよび下端検出センサの少なくとも一つが、前記接客部に存在する紙葉類の存在を検出しない場合に、当該紙葉類を小型の紙葉類と判定する手段を備えることを特徴とする自動取引装置。
【請求項３】
請求項１または請求項２において、
前記接客部に、前記分離機構によって繰出される紙葉類の短手方向の長さと長手方向の長さを検出する複数の通過検出センサとを設け、
前記通過検知センサの少なくとも一つが、繰出された紙葉類を検出しない場合に、当該紙葉類を返却すべき紙葉類と判定する手段と、
前記通過検知センサが、繰出された紙葉類の短手方向の長さが短いことを検出した場合に、当該紙葉類を返却すべき紙葉類と判定する手段と判定する手段と、
前記返却すべき紙葉類と判定した場合に、当該紙葉類を前記接客部へ搬送する手段と、備えることを特徴とする自動取引装置。
【請求項４】
請求項１ないし請求項３のいずれか一項において、
前記接客部と前記紙葉類回収庫の間を高密度化された搬送路で接続し、
前記返却する紙葉類が取忘れられた場合に、小型の紙葉類を、前記高密度化された搬送路によって前記紙葉類回収庫に搬送して収納する手段を備えることを特徴とする自動取引装置。
【請求項５】
請求項１ないし請求項３のいずれか一項において、
前記接客部の収容箱の底板を開閉可能に構成すると共に、前記紙葉類回収庫を前記底板の下方に配置し、
前記返却する紙葉類が取忘れられた場合に、前記収容箱の底板を開作動させ、前記紙葉類を落下させて前記紙葉類回収庫に収納する手段を備えることを特徴とする自動取引装置。
【請求項６】
請求項１ないし請求項３のいずれか一項において、
前記接客部の収容箱を回動可能に構成すると共に、前記紙葉類回収庫を、前記収容箱を挟んで前記分離機構の反対側に配置し、
前記返却する紙葉類が取忘れられた場合に、前記収容箱を前記紙葉類回収庫の方向へ回動させて、前記紙葉類を前記紙葉類回収庫に収納する手段を備えることを特徴とする自動取引装置。
【発明の詳細な説明】
【技術分野】
【０００１】
本発明は、金融機関等の店舗に設置された現金自動預払機等の顧客との現金による取引を自動で行う自動取引装置に関する。
【背景技術】
【０００２】
従来の自動取引装置に設けられた紙幣入出金機は、シャッタを設けた紙幣入出金口と、鑑別部と、紙幣入出金口の底板に設けられた開口部と、底板の下方に開口部から落下した硬貨やクリップ等の異物を受止める異物受けとを設け、紙幣入出金口に紙幣が投入されたときに、紙幣入出金口の前板と押板を揺動させて、投入された異物を開口部から異物受けに落下させ、その後に紙幣入出金口から紙幣を繰出して入金処理を行っている（例えば、特許文献１参照。）。
【先行技術文献】
【特許文献】
【０００３】
【特許文献１】特開平１０−１５４２５５号公報（段落００１３−００２１、第３図）
【発明の概要】
【発明が解決しようとする課題】
【０００４】
しかしながら、上述した従来の技術においては、紙幣入出金口の底板に設けた開口部から異物を異物受けに落下させて、紙幣入出金口に投入された異物を除去しているため、投入された異物が、硬貨やクリップ等の重い異物の場合は除去することができるが、顧客の不注意によってレシート等の紙幣よりも小型の紙葉類が紙幣と共に投入された場合には、小型の紙葉類は除去されずに搬送路へ繰出されてしまうと、ジャム等の搬送障害が発生しやすくなり、搬送障害が発生すると自動取引装置による取引が停止して、自動取引装置における取引の継続が困難になるという問題がある。
【０００５】
このため、紙幣入出金口と鑑別部の間の搬送路の搬送ローラを高密度に配置して小型の紙葉類の搬送を可能としても、鑑別部へ搬送された小型の紙葉類は、リジェクト紙幣と鑑別されて紙幣入出金口へ搬送され、シャッタを開放して顧客に返却される。
【０００６】
このとき、小型の紙葉類は顧客からの視認性が悪く、受取るべき紙葉類が存在することを顧客が視認できない場合は、顧客は操作を終了していると思い込み、小型の紙葉類を取出さずにいると、所定の時間の経過後にシャッタが閉鎖され、紙幣入出金口に取忘れられた小型の紙葉類が残留する。
【０００７】
また、顧客が紙葉類を取出した場合においても、小型の紙葉類が他の紙幣から分離して紙幣入出金口に置き去りにされてしまう場合があり、所定の時間の経過後にシャッタが閉鎖されると、紙幣入出金口に置き去りにされた小型の紙葉類が残留する。
【０００８】
このような場合に、紙幣入出金口に残留した紙葉類は、通常、取忘れ紙幣を収納する取忘れ収納庫に搬送されて収納されるが、小型の紙葉類を取忘れ収納庫に搬送しようとすると、取忘れ収納庫までの搬送路も搬送ローラを高密度に配置しなければならず、搬送路の搬送機構を含めた大幅な改造が必要になるという問題がある。
【０００９】
また、取忘れ収納庫までの搬送路を、紙幣を搬送する通常の搬送路にした場合には、ジャム等の搬送障害が発生が懸念されるため、紙幣入出金口に小型の紙葉類を残留させたままにすると、その後の取引を停止しなければならず、自動取引装置における取引の継続が困難になるという問題がある。
【課題を解決するための手段】
【００１０】
本発明は、上記課題を解決するために、顧客が投入した紙幣を１枚毎に分離して紙幣を短手方向に繰出す分離機構と、顧客に引渡す紙幣を集積する集積機構とが設けられた接客部と、前記接客部に取忘れられた紙幣を収納する取忘れ収納庫と、前記接客部に取忘れられた小型の紙葉類を収納する紙葉類回収庫と、を有する紙幣入出金機を備えた自動取引装置であって、前記接客部に、紙幣の短手方向の長さと長手方向の長さとを検出して紙幣の大きさを検出する複数の紙幣サイズ検出センサを設け、投入された紙葉類を顧客に返却する際に、前記紙幣サイズ検出センサが、前記接客部に存在する紙葉類が、紙幣よりも小さいことを検出した場合に、当該紙葉類を小型の紙葉類と判定する手段と、前記小型の紙葉類と判定した場合に、返却する紙葉類が小型の紙葉類であることを表示する手段と、前記返却する紙葉類が取忘れられた場合に、前記紙葉類を前記紙葉類回収庫に収納する手段と、を備えることを特徴とする。
【発明の効果】
【００１１】
これにより、本発明は、紙幣と共に投入された紙幣よりも小型の紙葉類を顧客に返却する際に、受取るべき小型の紙葉類の存在を報知して顧客の注意を喚起することができ、接客部に取忘れられた小型の紙葉類が残留することを防止することが可能になると共に、返却する紙葉類が取忘れられた場合に、その紙葉類を紙葉類回収庫に収納することが可能になり、自動取引装置による取引の継続を可能にして、自動取引装置の稼動効率を向上させることができるという効果が得られる。
【図面の簡単な説明】
【００１２】
【図１】実施例１の現金自動預払機を示すブロック図
【図２】実施例１の紙幣入出金機の内部構成を示す概略側面図
【図３】実施例１の紙幣入出金機を示すブロック図
【図４】実施例１の収容箱の接客位置および分離集積位置を示す説明図
【図５】実施例１の接客部を示す説明図
【図６】図５のＡ方向から見た矢視図
【図７】実施例１の収容箱からの紙幣の繰出状態を示す説明図
【図８】実施例１の紙幣入出金機の入金処理を示すフローチャート
【図９】実施例２の紙幣入出金機の内部構成を示す概略側面図
【図１０】実施例２の紙幣入出金機の入金処理を示すフローチャート
【図１１】実施例３の紙幣入出金機の内部構成を示す概略側面図
【発明を実施するための形態】
【００１３】
以下に、図面を参照して本発明による自動取引装置の実施例について説明する。
【実施例１】
【００１４】
図１において、１は自動取引装置としての現金自動預払機であり、銀行等の金融機関の支店やコンビニエンスストア等の店舗に設置され、顧客との間で取引処理を自動で行う。
【００１５】
２は金融機関のセンタに設置された上位装置としてのホストコンピュータであり、店舗に設置されている現金自動預払機１と専用回線や電話回線等の通信回線３を介して接続しており、口座開設者である顧客の口座の金融機関名や口座番号等の口座情報やその暗証番号、口座残高等の顧客情報を保有して顧客の口座を管理する。
【００１６】
５は現金自動預払機１の主制御部であり、通信回線３を介してホストコンピュータ２と接続しており、現金自動預払機１内の各部を制御して取引処理等を実行すると共に、ホストコンピュータ２とのデータ通信等も制御する。
【００１７】
６は現金自動預払機１の主記憶部であり、主制御部５が実行するプログラムやそれに用いる各種のデータおよび主制御部５による処理結果等が格納される。
【００１８】
７は操作表示部であり、ＬＣＤ等の表示画面とタッチパネル等の入力手段との組合せで構成されており、表示画面に入金取引や出金取引等の取引選択ボタンを表示した取引選択画面や各種の入力画面等を表示する他、入力手段により顧客からの入力を受付ける。
【００１９】
８はカード取扱部であり、挿入された顧客のキャッシュカード等の取引カードの磁気ストライプやＩＣチップ等に記録されている顧客ＩＤ等のカード情報を読み書きする機能を有すると共に、明細票等に取引内容等を印刷する機能等を有している。
【００２０】
９は通帳取扱部であり、挿入された顧客の通帳の磁気ストライプやＩＣチップ等に記録されている顧客ＩＤ等の通帳情報を読み書きする機能を有すると共に、取引内容等を顧客の通帳に記帳する機能を有している。
【００２１】
１０は紙幣入出金機であり、後述する接客部１３によって顧客が投入した紙幣を受入れ、これを鑑別および計数して収納し、顧客に支払う紙幣を計数して接客部１３から排出して顧客に払い出す機能等を有している。
【００２２】
１１は硬貨入出金機であり、顧客が投入した硬貨を受入れ、これを鑑別および計数して収納し、顧客に支払う硬貨を計数して顧客に払い出す機能等を有している。
【００２３】
本実施例の紙幣入出金機１０は、図２、図３に示すように、接客部１３が設けられ、その接客部１３は、紙幣押え１４ａが設けられた収容箱１４と、顧客が収容箱１４に投入した紙幣を１枚毎に分離して繰出す分離機構１５と、顧客に引渡す出金紙幣や返却紙幣等を収容箱１４に集積する集積機構１６と、顧客との入出金取引における紙幣の投入時および支払時等に開閉するシャッタ１７等を備えている。
【００２４】
本実施例の収容箱１４は、図４に示すように、顧客から投入された紙幣を受入れるときの、開口部をシャッタ１７側に向けた接客位置と、受入れた紙幣を分離機構１５で分離して繰出すとき、または出金紙幣等を集積機構１６によって集積するときの、開口部を分離機構１５および集積機構１６側に向けた分離集積位置との２位置の間を回動可能に構成され、その底板１４ｂは、最大直径を有する流通硬貨を通過させることが可能な間隔で、紙幣押え１４ａの鉛直方向に配置された支持棒によってスノコ状に形成されている。
【００２５】
また、本実施例の分離機構１５は、分離集積位置にある収容箱１４の開口部に配置されたピックアップローラ１５ａと、ピックアップローラ１５ａの繰出方向の下流側に配置されたフィードローラ１５ｂおよびフィードローラ１５ｂに対向配置された図示しないリバースローラとで構成される（図７参照）。
【００２６】
図２、図３において、１８は鑑別部であり、搬送された紙幣に対する各種の鑑別を行う機能、つまり紙幣の真偽や正損、金種等を識別する機能、および重送等の搬送異常を検出する機能を有し、その鑑別結果を制御部３６（後述）へ送出する機能等を有している。
【００２７】
１９は一時保留部であり、入金処理において接客部１３に投入された紙幣で、鑑別部１８により真券と鑑別され、取込処理可能と鑑別された紙幣を集積して一時保留する収納庫であって、紙幣を１枚毎に分離して繰出す機能および搬送された紙幣を集積する機能を有している。
【００２８】
２０は紙幣収納庫であり、出金に用いる紙幣および／もしくは入金された紙幣を収納する収納庫であって、紙幣を１枚毎に分離して繰出す機能および搬送された紙幣を集積する機能を有している。
【００２９】
２１はリジェクト紙幣収納庫であり、入金取引時に一時保留部１９から、出金取引時に紙幣収納庫２０から繰出され、鑑別部１８により重送等の搬送異常と鑑別された紙幣を収納する収納庫であって、搬送された紙幣を集積する機能を有している。
【００３０】
２２は取忘れ収納庫であり、入金取引や出金取引時に顧客が取忘れて収容箱１４に残留した紙幣を収納する収納庫であって、搬送された紙幣を集積する機能を有している。
【００３１】
２３は異物返却口であり、収容箱１４の底板１４ｂの支持棒の間から落下した硬貨やクリップ等の重い異物が、底板１４ｂの直下に配置されたシュータ２３ａに導かれて集積され、集積された異物は顧客に返却される。
【００３２】
２４は紙葉類回収庫であり、入金取引時に顧客に返却する紙葉類が取忘れられて収容箱１４に残留した場合に、その取忘れられた小型の紙葉類を収納する収納庫であって、接客部１３の下方の近傍に配置されており、搬送された小型の紙葉類を集積する機能を有している。
【００３３】
２５は搬送路であり、搬送ローラ２６（図７参照）で紙幣の表裏両面を挟持して搬送する搬送路であって、搬送路２５ａを除く搬送路２５は、紙幣を搬送するための通常の間隔で搬送ローラ２６やベルト対を配置した搬送路である。
【００３４】
搬送路２５ａは、接客部１３の分離機構１５から紙葉類回収庫２４に至る搬送路であって、小型の紙葉類を確実に搬送するために、紙幣の搬送方向に配置された搬送ローラ２６の配置間隔を狭めて形成された高密度化された搬送路である。
【００３５】
また、搬送路２５ａの途中から、鑑別部１８に至る搬送路２５との分岐部には、紙幣の搬送方向を切替える切替ブレード２７が設けられている。
【００３６】
この場合に、高密度化された搬送路２５ａは、紙幣の搬送方向の直交方向に配置されたベルト対の配置間隔を狭めて形成するようにしてもよい。
【００３７】
なお、本実施例の搬送路２５、２５ａは、紙幣の短手方向を搬送方向として搬送する搬送路である。
【００３８】
図５、図６において、３０は投入異常検出センサであり、接客部１３に、収容箱１４を挟んで正常に投入された紙幣の紙面の略鉛直方向に発光部と受光部とを対向配置した光学式のセンサであって、発光部からの光を顧客の手や紙葉類が遮ったことを受光部で検出して顧客の手の挿入や紙葉類の存在を検出する機能を有しており、収容箱１４に投入された紙幣の短手方向の上端より上に、紙幣の長手方向に沿って複数（本実施例では、長手方向の中心線を中心として両側に対称に２つ）配列され、投入された紙葉類に、紙幣の短手方向の長さより長い紙葉類が存在することを検出して、他の紙幣からはみ出した状態で投入された紙幣や、長手方向に投入された紙幣等の紙葉類の投入姿勢の異常を検出する。
【００３９】
３１は紙幣サイズ検出センサであり、接客部１３に、収容箱１４を挟んで投入異常検出センサ３０と同様に配置された光学式のセンサであって、発光部からの光を紙葉類が遮ったことを受光部で検出して紙葉類の存在を検出する機能を有しており、収容箱１４に存在する紙葉類の紙幣の短手方向の上端を、外部から視認できる限度の位置（本実施例では、短手方向の中央部）に、長手方向に沿って複数（本実施例では、長手方向の中心線を中心として両側に対称に２つ）配列された上端検出センサ３１ａと、収容箱１４に存在する紙葉類の紙幣の短手方向の下端部（収容箱１４の底板１４ｂ側の端部）に、長手方向に沿って複数（本実施例では、長手方向の中心に１つ、それを中心として両側に対称に２つの合計３つ）配列された下端検出センサ３１ｂとで構成され、上端検出センサ３１ａは、収容箱１４に存在する紙葉類の紙幣の短手方向の上端の視認性とその位置における紙葉類の存在および長手方向の長さとを検出し、下端検出センサ３１ｂは、収容箱１４に存在する紙葉類の紙幣の短手方向の下端部における紙葉類の存在および長手方向の長さを検出して、収容箱１４に存在する紙葉類の大きさを検出する。
【００４０】
３２は落下物検出センサであり、図６に示すように、接客部１３の収容箱１４の底板１４ｂの直下の収容箱１４の長手方向の両端の外側に、それぞれ配置された発光部と受光部とを対向させた光学式のセンサであって、発光部からの光が遮られたことを受光部で検出して収容箱１４からの落下物の存在を検出する機能を有しており、収容箱１４に投入された硬貨やクリップ等の重い異物が収容箱１４の底板１４ｂの支持棒間の間隔から落下したことを検出する。
【００４１】
３４は通過検出センサであり、図７に示すように、搬送路２５ａを挟んで発光部と受光部とを対向配置した光学式のセンサであって、発光部からの光を紙葉類が遮ったことを受光部で検出して紙葉類が通過中であることを検出する機能を有しており、分離集積位置にある収容箱１４の開口部に配置された分離機構１５のフィードローラ１５ｂの繰出方向の下流側に配置された搬送路２５ａのフィードローラ１５ｂ側の端部に、紙幣の長手方向に沿って複数（本実施例では、６つ）配置され、分離機構１５によって繰出された紙葉類の長手方向の長さを検出すると共に、紙葉類の通過時間の長短を基に繰出された紙葉類の短手方向の長さを検出する。
【００４２】
図３において、３６は紙幣入出金機１０の制御部であり、主制御部５からの各種の指令に基づいて、紙幣入出金機１０内の各部を制御して、紙幣の取込処理等の紙幣処理等を実行する機能を有している。
【００４３】
３７は紙幣入出金機１０の記憶部であり、制御部３６が実行するプログラムやそれに用いる各種のデータおよび制御部３６による処理結果等が格納される。
【００４４】
上記の現金自動預払機１の主記憶部６には、予め顧客との間で各種の取引を行うための通常の取引処理プログラムと、図８を用いて説明する本実施例の入金取引処理時に紙幣入出金機１０の制御部３６から受信した小型紙葉類返却画面等を操作表示部７の表示画面に表示する機能を有するアプリケーションプログラム等からなる業務処理実行プログラムが格納されており、主制御部５が実行する業務処理実行プログラムのステップにより本実施例の現金自動預払機１の各機能手段が形成される。
【００４５】
本実施例の紙幣入出金機１０の記憶部３７には、主制御部５からの指令によって、出金取引処理における紙幣の出金処理、図８を用いて説明する本実施例の入金取引処理における紙幣の入金処理や返却処理等の紙幣処理を実行する機能を有する紙幣処理プログラムが予め格納されており、制御部３６が実行する紙幣処理プログラムのステップにより本実施例の紙幣入出金機１０の各機能手段が形成される。
【００４６】
また、記憶部３７には、各紙幣収納庫２０に対応させて収納すべき金種を設定した収納金種設定情報が予め設定されて格納される他、紙幣収納庫２０に収納されている紙幣の収納枚数を紙幣収納庫２０別にカウントするための収納枚数カウントエリア、一時保留部１９に集積した紙幣を金種別にカウントするための取込紙幣カウントエリア等が予め確保されている。
【００４７】
更に、記憶部３７には、搬送路２５ａを搬送される紙幣の通過検出センサ３４における標準的な通過時間から予め求められた変動時間を減じた通過時間である紙幣長さ判定値、シャッタ１７の解放後に、顧客による紙幣の取出しを待って待機する所定の待ち時間である取忘れ判定時間が予め設定されて格納されている。
【００４８】
以下に、図８に示すフローチャートを用い、Ｓで示すステップに従って本実施例の紙幣入出金機の入金処理について説明する。
【００４９】
金融機関等の店舗の係員が、始業時等に現金自動預払機１へ電源を投入すると、現金自動預払機１の主記憶部６に格納されている業務処理実行プログラムおよび紙幣入出金機１０の記憶部３７に格納されている紙幣処理プログラムが自動的に起動される。
【００５０】
業務処理実行プログラムが起動すると、現金自動預払機１の主制御部５は、その操作表示部７の表示画面に取引選択画面を表示して待機する。
【００５１】
取引選択画面には、出金取引のための「お引き出し」ボタン、入金取引のための「お預け入れ」ボタン等の取引を選択するための取引選択ボタンが表示される。
【００５２】
本実施例では、顧客は入金取引を選択し、操作表示部７の表示画面から入力手段によって「お引き出し」ボタンを押下する。
【００５３】
この入力手段からの信号により顧客の選択した取引を入金取引と認識した主制御部５は、入金取引処理を開始し、操作表示部７の表示画面に取引カードの挿入を促す旨の文言を表示した取引カード挿入依頼画面を表示し、顧客が取引カードをカード取扱部８に挿入すると、主制御部５は、取引カードに記録されているカード情報を読取り、操作表示部７の表示画面に紙幣の投入を促す旨の文言を表示した紙幣投入依頼画面を表示すると共に、紙幣入出金機１０の制御部３６へ入金処理指令を送信する。
【００５４】
Ｓ１、主制御部５からの処理指令等の着信を待って待機していた紙幣入出金機１０の制御部３６は、入金処理指令を受信したときに入金処理を開始し、接客部１３の収容箱１４を接客位置（図４（ａ）参照）にしてシャッタ１７を開放する。
【００５５】
顧客が接客部１３の収容箱１４に紙幣を投入すると、制御部３６は投入姿勢検出センサ３０が紙葉類の存在を検出したことによって紙葉類の投入を認識し、投入姿勢検出センサ３０が紙葉類の存在を検出し続けている場合は、投入姿勢の異常を判定してステップＳ２へ移行する。
【００５６】
複数の投入姿勢検出センサ３０が投入された紙葉類の検出後に、全ての投入姿勢検出センサ３０が紙葉類の存在を検出しない場合は、紙葉類が正常姿勢で投入されたと判定してステップＳ３へ移行する。
【００５７】
なお、硬貨やクリップ等の重い異物が同時に投入された場合は、その重い異物は、収容箱１４の底板１４ｂの支持棒の間から落下し、シュータ２３ａに導かれて異物返却口２３に集積され、顧客に返却される。
【００５８】
Ｓ２、投入姿勢の異常を判定判定した制御部３６は、収容箱１４に投入姿勢の異常な紙葉類が存在する旨を添付した返却画面表示通知を主制御部５へ送信する。
【００５９】
返却画面表示通知を主制御部５は、通常の場合と同様の「紙幣をお受け取りください。」等の紙幣を返却する旨の文言を表示した紙幣返却画面を操作表示部７の表示画面に表示する。
【００６０】
そして、制御部３６は、接客部１３のシャッタ１７を開放したままでステップＳ１へ戻り、顧客による紙幣の再投入を待って待機し、紙幣が再投入されたときにステップＳ１による投入姿勢の判定を実行する。
【００６１】
Ｓ３、紙葉類が正常姿勢で投入されたと判定した制御部３６は、所定の時間の経過後に接客部１３のシャッタ１７を閉鎖して収容箱１４の紙幣押え１４ａにより投入された紙葉類を押圧し、紙幣サイズ検出センサ３１（上端検出センサ３１ａおよび下端検出センサ３１ｂ）等によって、投入された紙葉類の大きさを判定し、複数の紙幣サイズ検出センサ３１の少なくとも一つが、接客部１３の収容箱１４に存在する紙葉類を検出しない場合は、収容箱１４に存在する紙葉類を、紙幣より小さいために返却すべき紙葉類（返却紙葉類Ｐｈという。）と判定してステップＳ１８へ移行する。
【００６２】
投入異常検出センサ３０の全てが収容箱１４に存在する紙葉類を検出せず、かつ紙幣サイズ検出センサ３１の全てが収容箱１４に存在する紙葉類を検出している場合は、正常な紙葉類（正常紙葉類Ｐという。）と判定してステップＳ４へ移行する。
【００６３】
なお、本ステップでは、返却紙葉類Ｐｈのみが投入された場合を除き、投入された紙葉類に返却紙葉類Ｐｈが含まれていても正常紙葉類Ｐと判定される。
【００６４】
Ｓ４、収容箱１４に投入された紙葉類を正常紙葉類Ｐと判定した制御部３６は、収容箱１４を接客位置から分離集積位置へ回動させて入金処理における紙幣の取込処理を開始する。
【００６５】
Ｓ５、紙幣の取込処理を開始した制御部３６は、分離機構１５のピックアップローラ１５ａとフィードローラ１５ｂを繰出方向へ回転させ、収容箱１４の紙葉類を１枚毎に分離して搬送路２５ａへ繰出す。
【００６６】
このとき、制御部３６は、搬送路２５ａのフィードローラ１５ｂ側の端部に配置された通過検出センサ３４によって、繰出された紙葉類の長手方向の長さと短手方向の長さとを検出する。
【００６７】
すなわち、制御部３６は、全ての通過検出センサ３４が、繰出された紙葉類の通過を検出した場合は、紙葉類の通過後に長手方向の長さを正常と判定する。
【００６８】
少なくとも１つの通過検出センサ３４が紙葉類の通過を検出せず、他の通過検出センサ３４が紙葉類が通過を検出した場合は、長手方向の長さが短いと判定して紙葉類の通過後に返却紙葉類Ｐｈが繰出されたと判定する。
【００６９】
各通過検出センサ３４によって検出した紙葉類の通過時間の全てが、記憶部３７の紙幣長さ判定値以上の通過時間である場合は、紙葉類の通過後に短手方向の長さを正常と判定する。
【００７０】
各通過検出センサ３４によって検出した紙葉類の通過時間の少なくとも１つが、記憶部３７の紙幣長さ判定値未満の通過時間である場合は、短手方向の長さが短いと判定して紙葉類の通過後に返却紙葉類Ｐｈが繰出されたと判定する。
【００７１】
Ｓ６、制御部３６は、前記の判定によって、繰出された紙葉類を返却紙葉類Ｐｈと判定した場合はステップＳ７へ移行する。
【００７２】
繰出された紙葉類の短手方向および長手方向の長さが正常である場合は、正常紙葉類Ｐが繰出されたと判定してステップＳ８へ移行する。
【００７３】
なお、本ステップにおける判定においては、返却紙葉類Ｐｈには、レシート等の小型の紙葉類の他に、長手方向を半分に折畳んだ紙幣（図７参照、長手半折れ券という。）や、短手方向を半分に折畳んだ紙幣（短手半折れ券という。）、隅の一部が折れた紙幣、隅の一部が欠落した紙幣（これらを隅欠損券という。）が含まれている。
【００７４】
また、正常紙葉類Ｐには、紙幣の真券の他に、紙幣の偽券や紙幣と同程度の大きさの大型のレシート等が含まれている。
【００７５】
Ｓ７、繰出された紙葉類を返却紙葉類Ｐｈと判定した制御部３６は、顧客に返却紙葉類Ｐｈを返却するために、紙幣押え１４ａによる押圧を解除すると共に、搬送路２５ａの搬送ローラ２６や、フィードローラ２６ｂ、ピックアップローラ２６ａを逆転させ、繰出された紙葉類を収容箱１４内に搬送してステップＳ１７へ移行する。
【００７６】
Ｓ８、正常紙葉類Ｐが繰出されたと判定した制御部３６は、搬送路２５ａ、搬送路２５により正常紙葉類Ｐを鑑別部１８へ搬送し、鑑別部１８で搬送された正常紙葉類Ｐの紙幣としての真偽や金種等を鑑別する。
【００７７】
Ｓ９、制御部３６は、鑑別部１８での鑑別結果が、紙幣の真券である場合はステップＳ１０へ移行する。鑑別結果が、偽券や大型のレシート等であることによって金種不明と鑑別された場合は、返却紙葉類Ｐｈと判定してステップＳ１６へ移行する。
【００７８】
Ｓ１０、鑑別部１８での鑑別結果が紙幣の真券であることを認識した制御部３６は、当該紙幣を搬送路２５により一時保留部１９へ搬送して集積し、鑑別結果の金種を基に、記憶部３７の取込紙幣カウントエリアによって、集積した紙幣の金種別の枚数を計数する。
【００７９】
Ｓ１１、制御部３６は、通過検出センサ３４が紙葉類の繰出しを検出しなくなった後に、その紙葉類が紙幣と鑑別され、当該紙幣を一時保留部１９へ集積したことによって紙幣の取込の終了を判定したときはステップＳ１２へ移行する。
【００８０】
通過検出センサ３４が紙葉類の繰出しを検出し続けている場合は、ステップＳ５へ戻り、繰出された紙葉類の判定等を継続する。
【００８１】
Ｓ１２、紙幣の取込処理を終えた制御部３６は、取込紙幣カウントエリアにより計数された金種別の枚数に基づいて取込まれた紙幣の合計金額を演算し、その合計金額等を添付した取込終了通知を主制御部５へ送信する。
【００８２】
Ｓ１３、取込終了通知を受信した主制御部５は、操作表示部７の表示画面に、取込終了通知の合計金額等や、入金金額の確定を指示するため「確認」ボタン、投入した紙幣の返却を指示するための「返却」ボタン等を表示した入金金額確認画面を表示する。
【００８３】
顧客は入金金額が正しいことを確認したときは「確認」ボタンを、投入した紙幣の返却を指示するときは「返却」ボタンを押下する。
【００８４】
主制御部５は、顧客が「確認」ボタンを押下したことを認識した場合は、入金金額が確定されたと判定して、読取ったカード情報に確定された入金金額を添付してホストコンピュータ２へ送信すると共に、カード取扱部８に挿入されている取引カードを排出し、制御部３６へ入金処理における収納処理指令を送信する。
【００８５】
また、主制御部５は、顧客が「返却」ボタンを押下したことを認識した場合は、制御部３６へ入金処理における返却処理指令を送信する。
【００８６】
Ｓ１３、取込終了通知の送信後に、主制御部５からの収納処理指令または返却処理指令の着信を待って待機していた制御部３６は、主制御部５からの収納処理指令を受信した場合はステップＳ１５へ移行する。主制御部５からの返却処理指令を受信した場合はステップＳ１４へ移行する。
【００８７】
Ｓ１４、返却処理指令を受信した制御部３６は、一時保留部１９に集積されている紙幣を繰出し、搬送路２５によって返却紙幣を接客部１３の集積機構１６へ搬送し、集積機構１６によって、分離集積位置で紙幣押え１４ａを開作動させた収容箱１４へ返却紙幣を集積し、一時保留部１９の紙幣を全て収納箱１４へ集積したときに、記憶部３７の取込紙幣カウントエリアの各金種別の枚数を「０」に初期化し、紙幣押え１４ａにより紙幣を押圧して収容箱１４を分離集積位置から接客位置へ回動させ、収容箱１４に返却紙幣を集積した旨を添付した返却画面表示通知を主制御部５へ送信すると共に、紙幣押え１４ａによる紙幣の押圧を解除してシャッタ１７を開放する。
【００８８】
返却画面表示通知を受信した主制御部５は、通常の場合と同様の「紙幣をお受け取りください。」等の紙幣を返却する旨の文言を表示した紙幣返却画面を操作表示部７の表示画面に表示すると共に、カード取扱部８に挿入されている取引カードを排出する。
【００８９】
そして、制御部３６は、投入姿勢検出センサ３０や下端検出センサ３１ｂ等によって顧客が収容箱１４内の返却紙幣を取出したことを確認し、シャッタ１７を閉鎖して主制御部５へ返却終了通知を送信し、入金処理を終了させる。
【００９０】
返却終了通知を受信した主制御部５は、顧客が取引カードを受取ったことを確認して入金取引処理を終了させ、操作表示部７の表示画面に取引選択画面を表示して待機する。
【００９１】
この返却処理のときに、返却紙幣の取忘れが発生した場合は、制御部３６は、収容箱１４を接客位置から分離集積位置へ回動させ、分離機構１５によって収容箱１４の紙葉類を１枚毎に搬送路２５ａへ繰出し、搬送路２５ａ、搬送路２５によって取忘れ収納庫２２へ搬送して収納し、主制御部５へ返却終了通知を送信して入金処理を終了させる。
【００９２】
返却終了通知を受信した主制御部５は、顧客が取引カードを取忘れている場合はその取引カードをカード取扱部８の図示しない回収庫に収納して入金取引処理を終了させ、操作表示部７の表示画面に取引選択画面を表示して待機する。
【００９３】
Ｓ１５、収納処理指令を受信した制御部３６は、一時保留部１９に集積されている確定された紙幣を繰出し、これを搬送路２５によって鑑別部１８へ搬送して金種を鑑別し、鑑別された金種を基に、記憶部３７の収納金種設定情報を参照して、搬送先の紙幣収納庫２０を特定し、その紙幣収納庫２０に当該紙幣を搬送して収納すると共に、収納枚数カウントエリアによって収納した紙幣の枚数を紙幣収納庫２０別に計数する。
【００９４】
そして、一時保留部１９の紙幣を全て紙幣収納庫２０に収納したときに、記憶部３７の取込紙幣カウントエリアの各金種別の枚数を「０」に初期化し、収納終了通知を主制御部５へ送信して入金処理を終了させる。
【００９５】
収納終了通知を受信した主制御部５は、顧客が取引カードを受取ったことを確認して入金取引処理を終了させ、操作表示部７の表示画面に取引選択画面を表示して待機する。
【００９６】
Ｓ１６、一方、ステップＳ９において鑑別部１８へ搬送した紙葉類を返却紙葉類Ｐｈと判定した制御部３６は、顧客に返却紙葉類Ｐｈを返却するために、鑑別部１８から搬送路２５によって返却紙葉類Ｐｈを接客部１３の集積機構１６へ搬送し、集積機構１６によって、分離集積位置で紙幣押え１４ａを開作動させた収容箱１４へ返却紙葉類Ｐｈを集積する。
【００９７】
Ｓ１７、収容箱１４へ返却紙葉類Ｐｈを集積した、またはステップＳ７において返却紙葉類Ｐｈを収容箱１４内へ搬送した制御部３６は、紙幣押え１４ａにより紙葉類を押圧して、収容箱１４を分離集積位置から接客位置へ回動させてステップＳ１８へ移行する。
【００９８】
Ｓ１８、収容箱１４を接客位置へ回動させた、またはステップＳ３において投入された紙葉類が紙幣より小さいために返却紙葉類Ｐｈと判定した制御部３６は、紙幣サイズ検出センサ３１等によって収容箱１４に存在する返却紙葉類Ｐｈの大きさを判定し、投入姿勢検出センサ３０の全てが紙葉類の存在を検出せず、かつ上端検出センサ３１ａの少なくとも一つが紙葉類の存在を検出している場合は、収容箱１４に存在する紙葉類を、返却時に視認が可能な紙葉類（視認可紙葉類という。偽券や隅欠損券、長手半折れ券、大型のレシート等）と判定してステップＳ１９へ移行する。
【００９９】
投入姿勢検出センサ３０の全てが紙葉類の存在を検出せず、かつ上端検出センサ３１ａの全てが紙葉類の存在を検出していない場合は、収容箱１４に存在する紙葉類を短手方向の長さが短いために返却時に視認が困難な紙葉類（視認難紙葉類という。小型のレシートや短手半折れ券等）と判定してステップＳ２０へ移行する。
【０１００】
この場合に、投入姿勢検出センサ３０の全てが紙葉類の存在を検出せず、かつ上端検出センサ３１ａ、下端検出センサ３１ｂの全てが紙葉類の存在を検出している場合に、その紙葉類を紙幣と同等の大きさの大型の紙葉類（偽券や大型のレシート等）と判定し、投入姿勢検出センサ３０の全てが紙葉類の存在を検出せず、かつ上端検出センサ３１ａ、下端検出センサ３１ｂの少なくとも一つが紙葉類の存在を検出していない場合に、その紙葉類を紙幣より小さい小型の紙葉類（隅欠損券、長手半折れ券、短手半折れ券、小型のレシート等）と判定するようにし、大型の紙葉類と判定した場合にステップＳ１９へ、小型の紙葉類と判定した場合にステップＳ２０へ移行するようにしてもよい。
【０１０１】
Ｓ１９、収容箱１４に存在する返却紙葉類Ｐｈを視認可紙葉類（または大型の紙葉類）と判定した制御部３６は、収容箱１４に視認可紙葉類（または大型の紙葉類）が存在する旨を添付した返却画面表示通知を主制御部５へ送信すると共に、紙幣押え１４ａによる紙葉類の押圧を解除して接客部１３のシャッタ１７を開放する。
【０１０２】
返却画面表示通知を主制御部５は、通常の場合と同様の「紙幣をお受け取りください。」等の紙幣を返却する旨の文言を表示した紙幣返却画面を操作表示部７の表示画面に表示してステップＳ２１へ移行する。
【０１０３】
Ｓ２０、収容箱１４に存在する返却紙葉類Ｐｈを視認難紙葉類（または小型の紙葉類）と判定した制御部３６は、収容箱１４に視認難紙葉類（または小型の紙葉類）が存在する旨を添付した返却画面表示通知を主制御部５へ送信すると共に、紙幣押え１４ａによる紙葉類の押圧を解除して接客部１３のシャッタ１７を開放する。
【０１０４】
返却画面表示通知を主制御部５は、「小さい紙葉類が投入口内にあります。ご確認の上、お受け取りください。」等の小型の紙葉類の受取を促す旨の文言を表示した小型紙葉類返却画面を操作表示部７の表示画面に表示してステップＳ２１へ移行する。
【０１０５】
Ｓ２１、返却画面表示通知の送信後に、投入姿勢検出センサ３０や下端検出センサ３１ｂ等によって顧客による収容箱１４内の紙葉類の取出しを監視しながら待機していた制御部３６は、取忘れ判定時間内に、顧客による収容箱１４内の紙葉類の取出しを確認した場合、つまり投入姿勢検出センサ３０が顧客のよる手の挿入を検出した後に、上端検出センサ３１ａおよび下端検出センサ３１ｂの全てが収容箱１４内の紙葉類の存在を検出しなくなった場合は、紙葉類の取出を判定してステップＳ２２へ移行する。
【０１０６】
そして、顧客は取出した紙葉類を確認し、返却紙葉類Ｐｈを取除いて、または正常な紙幣に交換して接客部１３の収容箱１４に紙幣を投入する。
【０１０７】
Ｓ２２、紙葉類の取出を判定した制御部３６は、その時計機能によって経過時間を計測しながら、投入姿勢検出センサ３０が収容箱１４への紙葉類の再投入を検出するのを待って待機し、所定の時間を経過しても、投入姿勢検出センサ３０が紙葉類の投入を検出しなかった場合は、顧客の立去りを判定し、接客部１３のシャッタ１７を閉鎖してステップＳ３０へ移行する。
【０１０８】
所定の時間内に、投入姿勢検出センサ３０が紙葉類の投入を検出した場合は、紙葉類の再投入を認識し、接続子Ａを介してステップＳ１へ戻り、ステップＳ１〜Ｓ１５による入金処理を継続する。
【０１０９】
本ステップにおいては、記憶部３７の取込紙幣カウントエリアの金種別の枚数はそのままの状態にされ、再投入を認識してステップＳ１へ移行した場合は、ステップＳ１０において再投入後の紙幣を一時保留部１９へ集積したときに再投入前に記憶した各金種別の枚数に加算して一時保留部１９へ取込んだ紙幣の金種別の枚数を計数する。
【０１１０】
Ｓ２３、返却画面表示通知の送信後に、その時計機能によって経過時間を計測しながら取忘れ判定時間の経過を待って待機していた制御部３６は、経過時間が取忘れ判定時間以内の場合は、ステップＳ２１、Ｓ２３による待機を継続する。
【０１１１】
経過時間が取忘れ判定時間を超えても収容箱１４内に紙葉類が残留している（置き去りにされた小型の紙葉類を含む。）場合、つまり投入姿勢検出センサ３０が顧客による手の挿入を検出した場合を含めて、上端検出センサ３１ａおよび下端検出センサ３１ｂの少なくとも一つが収容箱１４内の紙葉類の存在を検出している場合は、顧客の立去りによる取忘れの発生を判定し、接客部１３のシャッタ１７を閉鎖してステップＳ２４へ移行する。
【０１１２】
Ｓ２４、紙葉類の取忘れを判定した制御部３６は、収容箱１４を接客位置から分離集積位置へ回動させる。
【０１１３】
Ｓ２５、収容箱１４を分離集積位置へ回動させた制御部３６は、上記ステップＳ５と同様にして、分離機構１５によって収容箱１４内に取忘れられた紙葉類（取忘紙葉類という。）を１枚毎に搬送路２５ａへ繰出し、搬送路２５ａに繰出された紙葉類の長手方向の長さや短手方向の長さが、正常であるか否かを検出する。
【０１１４】
Ｓ２６、制御部３６は、前記の判定によって、繰出された紙葉類の短手方向および長手方向の長さが正常である場合は、その紙葉類を搬送路２５による搬送が可能な紙幣と同等の大きさを有する大型の紙葉類（偽券や大型のレシート等）と判定してステップＳ２６へ移行する。
【０１１５】
繰出された紙葉類の短手方向および／もしくは長手方向の長さが短い場合は、その紙葉類を搬送路２５による搬送が困難な紙幣より小さい小型の紙葉類（隅欠損券、長手半折れ券、短手半折れ券、小型のレシート等）と判定してステップＳ２７へ移行する。
【０１１６】
Ｓ２７、大型の取忘紙葉類の繰出しを判定した制御部３６は、その紙葉類を搬送路２５ａ、搬送路２５によって取忘れ収納庫２２へ搬送して収納し、ステップＳ２９へ移行する。
【０１１７】
Ｓ２８、小型の取忘紙葉類の繰出しを判定した制御部３６は、その紙葉類を搬送路２５ａによって紙葉類回収庫２４へ搬送して収納し、ステップＳ２９へ移行する。
【０１１８】
Ｓ２９、制御部３６は、通過検出センサ３４が紙葉類の繰出しを検出しなくなった後に、当該紙葉類を取忘れ収納庫２２または紙葉類回収庫２４へ収納したことによって取忘紙葉類の収納の終了を判定したときはステップＳ３０へ移行する。
【０１１９】
通過検出センサ３４が紙葉類の繰出しを検出し続けている場合は、ステップＳ２５へ戻り、繰出された紙葉類の判定等を継続する。
【０１２０】
Ｓ３０、ステップＳ２２において紙葉類の再投入を検出しなかったことによって顧客の立去りを判定した、または顧客の立去りにより発生した取忘紙葉類の収納を終えた制御部３６は、記憶部３７の取込紙幣カウントエリアの記憶状態を確認し、各金種別の枚数が「０」の場合は、主制御部５へ処理終了通知を送信して入金処理を終了させる。
【０１２１】
取込紙幣カウントエリアに金種別の枚数が格納されている場合は、一時保留部１９の紙幣を取忘れられた紙幣と判定して、ステップＳ３１へ移行する。
【０１２２】
Ｓ３１、一時保留部１９の紙幣を取忘れられた紙幣と判定した制御部３６は、一時保留部１９に集積されている紙幣を繰出し、これを搬送路２５によって取忘れ収納庫２２へ搬送して収納し、一時保留部１９の紙幣を全て取忘れ収納庫２２へ収納したときに、記憶部３７の取込紙幣カウントエリアの各金種別の枚数を「０」に初期化し、主制御部５へ処理終了通知を送信して入金処理を終了させる。
【０１２３】
処理終了通知を受信した主制御部５は、カード取扱部８に残留している取引カードを図示しない回収庫に収納して入金取引処理を終了させ、操作表示部７の表示画面に取引選択画面を表示して待機する。
【０１２４】
このようにして、本実施例の紙幣入出金機１０による入金処理が実行される。
【０１２５】
上記のように、本実施例の入金処理においては、接客部１３の収容箱１４へ搬送した返却紙葉類Ｐｈを視認難紙葉類（または小型の紙葉類）と判定した場合に、投入された紙葉類を顧客に返却する際に、小型の紙葉類の受取を促す旨の文言を表示した小型紙葉類返却画面を表示して顧客に返却するので、レシート等の紙幣よりも小型の紙葉類が紙幣と共に投入された場合に、投入された紙葉類を顧客に返却する際に、受取るべき小型の紙葉類の存在を報知して顧客の注意を喚起することができ、接客部１３に取忘れられた小型の紙葉類が残留することを防止することが可能になり、現金自動預払機の取引停止を防止して、その稼動効率を向上させることができる。
【０１２６】
上記に加えて、本実施例では、接客部１３に集積した顧客に返却する紙葉類が取忘れられた場合に、紙幣よりも小型の紙葉類を高密度化した搬送路によって紙葉類回収庫に搬送して収納するので、小型の紙葉類によるジャム等の搬送障害の発生を防止して現金自動預払機の取引停止を防止ることができると共に、取引の継続を可能にして現金自動預払機の稼動効率を向上させることができる。
【０１２７】
また、接客部１３の分離機構１５から接客部１３の近傍に配置された紙葉類回収庫２４に至る搬送路２５ａのみを、高密度化された搬送路２５ａとするので、搬送路２５の搬送機構を含めた改造を小規模に止めて、製造コストの増加を抑制することができる。
【０１２８】
以上説明したように、本実施例では、現金自動預払機の紙幣入出金機の接客部と紙葉類回収庫との間を高密度化した搬送路で接続すると共に、接客部に紙幣の短手方向の長さと長手方向の長さとを検出して紙幣の大きさを検出する複数の紙幣サイズ検出センサを設け、投入された紙葉類を顧客に返却する際に、紙幣サイズ検出センサが接客部に存在する紙葉類が紙幣よりも小さいことを検出した場合に、当該紙葉類を小型の紙葉類と判定して返却する紙葉類が小型の紙葉類であることを表示し、その小型の紙葉類が取忘れられた場合に、小型の紙葉類を高密度化した搬送路で搬送して紙葉類回収庫に収納するようにしたことによって、紙幣と共に投入されたレシート等の紙幣よりも小型の紙葉類を顧客に返却する際に、受取るべき小型の紙葉類の存在を報知して顧客の注意を喚起することができ、接客部に取忘れられた小型の紙葉類が残留することを防止することが可能になると共に、接客部に集積した顧客に返却する紙葉類が取忘れられた場合に、小型の紙葉類を高密度化した搬送路により搬送して小型の紙葉類によるジャム等の搬送障害の発生を防止することができ、現金自動預払機による取引の継続を可能にして、現金自動預払機の稼動効率を向上させることができる。
【実施例２】
【０１２９】
本実施例の説明においては、上記実施例１と同様の部分は、同一の符号を付してその説明を省略する。
【０１３０】
本実施例の接客部１３に設けられた収容箱１４の底板１４ｂは、上記実施例１と同様に支持棒によってスノコ状に形成され、図９に示すように、分離機構１５側に設けられた回転支点４０によって、図示しない駆動機構により開閉可能に構成されている。
【０１３１】
また、本実施例の紙葉類回収庫２４は、収容箱１４の底板１４ｂの下方に配置され、底板１４ｂの支持棒の間から落下した重い異物を、直下に配置されたガイドダクト４１で導いて収納する他、入金取引時に顧客に返却する紙葉類が取忘れた場合に、収容箱１４の底板１４ｂを開作動（図９に示す２点鎖線）させて収容箱１４に残留した小型の紙葉類を含む紙葉類を落下させ、ガイドダクト４１で導いて収納する収納庫である。
【０１３２】
なお、本実施例の高密度化された搬送路２５ａは、通過検出センサ３４の繰出方向の下流側に、紙幣の短手方向の長さに相当する長さのみ形成されている。
【０１３３】
本実施例の現金自動預払機１の主記憶部６には、上記実施例１と同様の業務処理実行プログラムが格納されており、主制御部５が実行する業務処理実行プログラムのステップにより本実施例の現金自動預払機１の各機能手段が形成される。
【０１３４】
本実施例の紙幣入出金機１０の記憶部３７には、主制御部５からの指令によって、出金取引処理における紙幣の出金処理、図１０を用いて説明する本実施例の入金取引処理における紙幣の入金処理や返却処理等の紙幣処理を実行する機能を有する紙幣処理プログラムが予め格納されており、制御部３６が実行する紙幣処理プログラムのステップにより本実施例の紙幣入出金機１０の各機能手段が形成される。
【０１３５】
また、記憶部３７には、上記実施例１と同様の収納金種設定情報が予め設定されて格納される他、収納枚数カウントエリア、取込紙幣カウントエリア等が予め確保されている。
【０１３６】
更に、記憶部３７には、上記実施例１と同様の紙幣長さ判定値、取忘れ判定時間が予め設定されて格納されている。
【０１３７】
以下に、図１０に示すフローチャートを用い、ＳＡで示すステップに従って本実施例の紙幣入出金機の入金処理について説明する。
【０１３８】
本実施例のステップＳＡ１〜ＳＡ２３の作動は、上記実施例１のステップＳ１〜Ｓ２３の作動と同様であるので、その説明を省略する。
【０１３９】
この場合に、ステップＳＡ１において、硬貨やクリップ等の重い異物が同時に投入された場合は、その重い異物は、収容箱１４の底板１４ｂの支持棒の間から落下し、ガイドダクト４１に導かれて紙葉類回収庫２４に収納される。
【０１４０】
ＳＡ２４、紙葉類の取忘れを判定した制御部３６は、接客位置に位置している収容箱１４の底板１４ｂを開作動させて収容箱１４に残留した小型の紙葉類含む紙葉類を落下させ、ガイドダクト４１で導いて紙葉類回収庫２４へ収納する。
【０１４１】
その後のステップＳＡ２５〜ＳＡ２６の作動は、上記実施例１のステップＳ３０〜Ｓ３１の作動と同様であるので、その説明を省略する。
【０１４２】
以上説明したように、本実施例では、上記実施例１と同様の効果に加えて、接客部の収容箱の底板を開閉可能に構成すると共に紙葉類回収庫を底板の下方に配置し、返却する紙葉類が取忘れられた場合に、収容箱の底板を開作動させ、取忘れられた紙葉類を落下させて紙葉類回収庫に収納するようにしたことによって、接客部に集積した顧客に返却する紙葉類が取忘れられた場合に、紙幣よりも小さい小型の紙葉類を含む紙葉類を落下させて紙葉類回収庫に収納することができ、小型の紙葉類によるジャム等の搬送障害の発生を防止して現金自動預払機の取引停止を防止ることができると共に、取引の継続を可能にして現金自動預払機の稼動効率を向上させることができる他、接客部の分離機構の近傍のみを高密度化された搬送路とすることができ、紙幣入出金機の改造を最小限に止めて、製造コストの増加を更に抑制することができる。
【実施例３】
【０１４３】
本実施例の説明においては、上記実施例１と同様の部分は、同一の符号を付してその説明を省略する。
【０１４４】
本実施例の紙葉類回収庫２４は、図１１に示すように、接客部１３の収容箱１４の挟んで分離機構１５の反対側に配置され、入金取引時に顧客に返却する紙葉類が取忘れた場合に、収容箱１４に残留した小型の紙葉類を含む紙葉類を収納する収納庫である。
【０１４５】
また、本実施例の接客部１３に設けられた収容箱１４の底板１４ｂは、上記実施例１と同様に支持棒によってスノコ状に形成され、上記実施例１の接客位置と分離集積位置（図４参照）に加えて、図１１（ｂ）に示すように、小型の紙葉類が取忘れられた場合に、収容箱１４に残留した小型の紙葉類を含む紙葉類を紙葉類回収庫２４へ収納するための、開口部を分離機構１５の反対側に向けた回収位置との３位置の間を回動可能に構成され、回収位置に回動させた収容箱１４から小型の紙葉類を含む紙葉類を紙葉類回収庫２４へ移動させるための搬送ローラ４５が設けられている。
【０１４６】
この場合に、搬送ローラ４５に代えて、小型の紙葉類を紙葉類回収庫２４へ移動させるための駆動可能に構成されたレバーを設けるようにしてもよい。
【０１４７】
なお、本実施例では、収容箱１４の紙幣押え１４ａは省略されている。
【０１４８】
また、本実施例の高密度化された搬送路２５ａは、上記実施例２の同様に、通過検出センサ３４の繰出方向の下流側に、紙幣の短手方向の長さに相当する長さのみ形成されている。
【０１４９】
本実施例の紙幣入出金機１０による入金処理の作動は、上記実施例２（図１０参照）の場合と同様であるので、その説明を省略する。
【０１５０】
この場合に、ステップＳＡ１において、硬貨やクリップ等の重い異物が同時に投入された場合は、その重い異物は、上記実施例１のステップＳ１と同様に、異物返却口２３に集積され、顧客に返却される。
【０１５１】
また、ＳＡ２４において、紙葉類の取忘れを判定した制御部３６は、収容箱１４を接客位置から回収位置へ回動させ、搬送ローラ４５を回転させて収容箱１４に残留した小型の紙葉類を含む紙葉類を紙葉類回収庫２４へ移動させて収納する。
【０１５２】
以上説明したように、本実施例では、上記実施例１と同様の効果に加えて、接客部の収容箱を回動可能に構成すると共に紙葉類回収庫を、収容箱を挟んで分離機構の反対側に配置し、返却する紙葉類が取忘れられた場合に、収容箱を紙葉類回収庫の方向へ回動させて小型の紙葉類を紙葉類回収庫に収納するようにしたことによって、接客部に集積した顧客に返却する紙葉類が取忘れられた場合に、紙幣よりも小さい小型の紙葉類を含む紙葉類を搬送ローラ等によって移動させて紙葉類回収庫に収納することができ、小型の紙葉類によるジャム等の搬送障害の発生を防止して現金自動預払機の取引停止を防止ることができると共に、取引の継続を可能にして現金自動預払機の稼動効率を向上させることができる他、接客部の分離機構の近傍のみを高密度化された搬送路とすることができ、紙幣入出金機の改造を小規模に止めて、製造コストの増加を抑制することができる。
【０１５３】
なお、上記各実施例においては、接客部における分離集積動作のときに収容箱を分離集積位置に回動させるとして説明したが、収容箱を回動させずに投入された紙幣を分離する接客部の場合であっても、本発明を適用すれば、上記と同様の効果を得ることができる。
【０１５４】
また、上記各実施例においては、自動取引装置は現金自動預払機であるとして説明したが、自動取引装置は前記に限らず、発券機や自動販売機等であってもよい。要は紙幣を投入する接客部を有する自動取引装置であればどのような自動取引装置に適用しても本発明と同様の効果を得ることができる。
【符号の説明】
【０１５５】
１    現金自動預払機
２    ホストコンピュータ
３    通信回線
５    主制御部
６    主記憶部
７    操作表示部
８    カード取扱部
９    通帳取扱部
１０  紙幣入出金機
１１  硬貨入出金機
１３  接客部
１４  収容箱
１４ａ  紙幣押え
１５  分離機構
１５ａ  ピックアップローラ
１５ｂ  フィードローラ
１６  集積機構
１７  シャッタ
１８  鑑別部
１９  一時保留部
２０  紙幣収納庫
２１  リジェクト紙幣収納庫
２２  取忘れ収納庫
２３  異物返却口
２４  紙葉類回収庫
２５、２５ａ  搬送路
２６、４５  搬送ローラ
２７  切替ブレード
３０  投入異常検出センサ
３１  紙幣サイズ検出センサ
３１ａ  上端検出センサ
３１ｂ  下端検出センサ
３２  落下物検出センサ
３４  通過検出センサ
３６  制御部
３７  記憶部
４０  回転支点
４１  ガイドダクト
【図１】
2010277365.tif 000003
【図２】
2010277365.tif 000004
【図３】
2010277365.tif 000005
【図４】
2010277365.tif 000006
【図５】
2010277365.tif 000007
【図６】
2010277365.tif 000008
【図７】
2010277365.tif 000009
【図８】
2010277365.tif 000010
【図９】
2010277365.tif 000011
【図１０】
2010277365.tif 000012
【図１１】
2010277365.tif 000013